(57)【要約】【課題】  サージアブソーバ及びその製造方法において、より低コストで小型化及び高性能化が可能であると共に過大なサージによって破壊されても外部環境の影響を防ぐこと。【解決手段】  第１の内部空間Ｓ１と第２の内部空間Ｓ２とが内部絶縁層３を挟んで内部に形成されたブロック状絶縁体４と、第１の内部空間Ｓ１内に配置された一対の第１の内部電極６Ａと、第２の内部空間Ｓ２内に配置された一対の第２の内部電極６Ｂと、第１の内部電極６Ａ及び第２の内部電極６Ｂの対となる一方と他方とに別々に電気的に接続されていると共にブロック状絶縁体４の外面に形成された少なくとも一対の外部電極７と、を備え、内部絶縁層３の第１の内部空間Ｓ１側の面に一対の第１の内部電極６Ａのうち少なくとも一方が形成されていると共に、内部絶縁層３の第２の内部空間Ｓ２側の面に一対の第２の内部電極６Ｂのうち少なくとも一方が形成されている。【選択図】      図１
2010092779.tif 000002
【特許請求の範囲】
【請求項１】
第１の内部空間と第２の内部空間とが内部絶縁層を挟んで内部に形成されたブロック状絶縁体と、
前記第１の内部空間内に互いに放電間隙を隔てて配置され第１のアブソーバ素子を構成する一対の第１の内部電極と、
前記第２の内部空間内に互いに放電間隙を隔てて配置され第２のアブソーバ素子を構成する一対の第２の内部電極と、
前記第１の内部電極及び前記第２の内部電極の対となる一方と他方とに別々に電気的に接続されていると共に前記ブロック状絶縁体の外面に形成された少なくとも一対の外部電極と、を備え、
前記内部絶縁層の前記第１の内部空間側の面に前記一対の第１の内部電極のうち少なくとも一方が形成されていると共に、前記内部絶縁層の前記第２の内部空間側の面に前記一対の第２の内部電極のうち少なくとも一方が形成されていることを特徴とするサージアブソーバ。
【請求項２】
請求項１に記載のサージアブソーバにおいて、
前記ブロック状絶縁体が、前記内部絶縁層及び該内部絶縁層の両面に積層された複数の両側絶縁層で構成され、
前記第１の内部空間及び前記第２の内部空間が、前記複数の両側絶縁層のうち前記内部絶縁層に直接積層された層にそれぞれ形成された孔部又は凹部によって形成されていることを特徴とするサージアブソーバ。
【請求項３】
請求項１又は２に記載のサージアブソーバにおいて、
前記第１の内部空間と前記第２の内部空間とを連通させる貫通孔が前記内部絶縁層に形成されていることを特徴とするサージアブソーバ。
【請求項４】
請求項１から３のいずれか一項に記載のサージアブソーバにおいて、
前記第１の内部電極のうち一方と前記第２の内部電極のうち一方とが、前記一対の外部電極のうち一方に電気的に接続されていると共に、前記第１の内部電極のうち他方と前記第２の内部電極のうち他方とが前記一対の外部電極のうち他方に電気的に接続されていることを特徴とするサージアブソーバ。
【請求項５】
請求項１から３のいずれか一項に記載のサージアブソーバにおいて、
前記外部電極が、一対の第１の外部電極と一対の第２の外部電極との二対設けられ、
前記一対の第１の内部電極が、前記一対の第１の外部電極に電気的に接続されていると共に、前記一対の第２の内部電極が、前記一対の第２の外部電極に電気的に接続されていることを特徴とするサージアブソーバ。
【請求項６】
請求項２に記載のサージアブソーバを製造する方法であって、
前記内部絶縁層となる内部セラミックスグリーンシートの両面のうち一方に前記一対の第１の内部電極のうち少なくとも一方を形成すると共に、前記両面のうち他方に前記一対の第２の内部電極のうち少なくとも一方を形成する工程と、
前記両側絶縁層となる複数の両側セラミックスグリーンシートを前記内部セラミックスグリーンシートの両面に積層し、圧着して積層シートとする工程と、
該積層シートを焼結する工程と、を有し、
前記積層前又は積層時に、前記両側セラミックスグリーンシートのうち前記内部セラミックスグリーンシートに直接積層するものに前記第１の内部空間及び前記第２の内部空間となる孔部又は凹部を形成する工程と、前記孔部内又は前記凹部内に樹脂材を埋め込む工程と、を有することを特徴とするサージアブソーバの製造方法。
【発明の詳細な説明】
【技術分野】
【０００１】
本発明は、サージから種々の電子機器を保護し、事故を未然に防ぐために使用されるサージアブソーバ及びその製造方法に関する。
【背景技術】
【０００２】
サージアブソーバは、例えば電話機、モデム、家電製品等の電子機器において通信線、電源線、アンテナ等の外部から信号や電力を得るための入力部に接続され、外部から侵入する雷サージや静電気等の異常電圧によって電子機器が破壊されるのを防ぐために使用されている。
【０００３】
放電タイプのサージアブソーバにおいても、近年、表面実装化（ＳＭＤ）が進んでいる。例えば、特許文献１及び２には、絶縁性基体と、該絶縁性基体と共に放電ガスが充填された箱状の気密室を形成する絶縁性の気密キャップと、気密室の両端部に設けられた端子電極と、端子電極と導通し気密室内に放電ギャップを形成して設けられた放電電極と、を備えたチップ型サージアブソーバが提案されている。
【０００４】
また、特許文献３には、絶縁材より成る筐体の両端開口部に一対の外部電極を嵌合して放電ガスを封入した気密外囲器を形成し、該気密外囲器内に、表面に微小放電間隔を隔てて対向配置された一対のトリガ放電電極を有する絶縁基板を配置し、さらに外部電極に接続された板バネで構成された一対の主放電電極を互いに対向配置したチップ型サージ吸収素子が提案されている。
【０００５】
【特許文献１】特開２００１−３５６３３号公報
【特許文献２】特開２００２−４３０２０号公報
【特許文献３】特開２０００−２６８９３４号公報
【発明の開示】
【発明が解決しようとする課題】
【０００６】
上記従来の技術には、以下の課題が残されている。
上述したように、表面実装可能な種々のサージアブソーバが提案、開発され、製品化されているが、市場においては、より低価格で小型化され、サージ耐量、寿命、電子機器の保護性能等のさらなる高性能化がなされたものが望まれている。
また、従来の技術では、予期せぬ過大なサージが加わった場合、アブソーバ素子が破壊されて割れやひびが生じて外気が進入すると、外部環境（大気中の湿度など）の影響を受けてしまい、短絡（ＳＨＯＲＴ）するおそれがあった。
【０００７】
本発明は、前述の課題に鑑みてなされたもので、より低コストで小型化及び高性能化が可能であると共に過大なサージによって破壊されても外部環境の影響を防ぐことができるサージアブソーバ及びその製造方法を提供することを目的とする。
【課題を解決するための手段】
【０００８】
本発明は、前記課題を解決するために以下の構成を採用した。すなわち、本発明のサージアブソーバは、第１の内部空間と第２の内部空間とが内部絶縁層を挟んで内部に形成されたブロック状絶縁体と、前記第１の内部空間内に互いに放電間隙を隔てて配置され第１のアブソーバ素子を構成する一対の第１の内部電極と、前記第２の内部空間内に互いに放電間隙を隔てて配置され第２のアブソーバ素子を構成する一対の第２の内部電極と、前記第１の内部電極及び前記第２の内部電極の対となる一方と他方とに別々に電気的に接続されていると共に前記ブロック状絶縁体の外面に形成された少なくとも一対の外部電極と、を備え、前記内部絶縁層の前記第１の内部空間側の面に前記一対の第１の内部電極のうち少なくとも一方が形成されていると共に、前記内部絶縁層の前記第２の内部空間側の面に前記一対の第２の内部電極のうち少なくとも一方が形成されていることを特徴とする。
【０００９】
このサージアブソーバでは、内部絶縁層の第１の内部空間側の面に一対の第１の内部電極のうち少なくとも一方が形成されていると共に、内部絶縁層の第２の内部空間側の面に一対の第２の内部電極のうち少なくとも一方が形成されているので、予期せぬ巨大なサージが加わった際に、内部電極が形成されている内部絶縁層が破壊され、アブソーバ素子として開放（ＯＰＥＮ）方向に破壊される。また、放電空間内部での内部絶縁層の破壊のため、外気の進入が無く、外部環境（大気中の湿度など）の影響を受けて短絡（ＳＨＯＲＴ）することを防ぐことができる。また、第１のアブソーバ素子と第２のアブソーバ素子とが、異なる内部空間に独立して設けられているので、一方のアブソーバ素子の劣化が他方にほとんど影響しない。さらに、従来技術のような高コストになる板バネ等の部材が不要で、低コスト化及び小型化が可能である。
【００１０】
また、本発明のサージアブソーバは、前記ブロック状絶縁体が、前記内部絶縁層及び該内部絶縁層の両面に積層された複数の両側絶縁層で構成され、前記第１の内部空間及び前記第２の内部空間が、前記複数の両側絶縁層のうち前記内部絶縁層に直接積層された層にそれぞれ形成された孔部又は凹部によって形成されていることを特徴とする。すなわち、このサージアブソーバでは、第１の内部空間及び第２の内部空間が、複数の両側絶縁層のうち内部絶縁層に直接積層された層にそれぞれ形成された孔部又は凹部によって形成されているので、孔部又は凹部が形成された両側絶縁層を内部絶縁層の両面に積層するだけで、内部絶縁層を挟んで所定形状の第１の内部空間及び第２の内部空間を容易に形成することができる。
【００１１】
また、このサージアブソーバの製造方法は、前記内部絶縁層となる内部セラミックスグリーンシートの両面のうち一方に前記一対の第１の内部電極のうち少なくとも一方を形成すると共に、前記両面のうち他方に前記一対の第２の内部電極のうち少なくとも一方を形成する工程と、前記両側絶縁層となる複数の両側セラミックスグリーンシートを前記内部セラミックスグリーンシートの両面に積層し、圧着して積層シートとする工程と、該積層シートを焼結する工程と、を有し、前記積層前又は積層時に、前記両側セラミックスグリーンシートのうち前記内部セラミックスグリーンシートに直接積層するものに前記第１の内部空間及び前記第２の内部空間となる孔部又は凹部を形成する工程と、前記孔部内又は前記凹部内に樹脂材を埋め込む工程と、を有することを特徴とする。すなわち、このサージアブソーバの製造方法では、積層前又は積層時に、両側セラミックスグリーンシートのうち内部セラミックスグリーンシートに直接積層するものに第１の内部空間及び第２の内部空間となる孔部又は凹部を形成する工程と、孔部内又は凹部内に樹脂材を埋め込む工程と、を有するので、孔部又は凹部が樹脂材で形状保持されることで、圧着時に第１の内部空間及び第２の内部空間の変形を防ぐことができる。なお、樹脂材は、脱バインダー工程から焼結工程で除去されることで、形状が良好に保持された第１の内部空間及び第２の内部空間が形成される。
【００１２】
また、本発明のサージアブソーバは、前記第１の内部空間と前記第２の内部空間とを連通させる貫通孔が前記内部絶縁層に形成されていることを特徴とする。すなわち、このサージアブソーバでは、第１の内部空間と第２の内部空間とを連通させる貫通孔が内部絶縁層に形成されているので、第１の内部空間と第２の内部空間とが連通されて互いに放電空間を共有しているため、サージ耐量が増加する。
【００１３】
また、本発明のサージアブソーバは、前記第１の内部電極のうち一方と前記第２の内部電極のうち一方とが、前記一対の外部電極のうち一方に電気的に接続されていると共に、前記第１の内部電極のうち他方と前記第２の内部電極のうち他方とが前記一対の外部電極のうち他方に電気的に接続されていることを特徴とする。すなわち、このサージアブソーバでは、第１の内部電極の一方と第２の内部電極の一方とが、外部電極のうち同じ一方に接続されていると共に、第１の内部電極の他方と第２の内部電極の他方とが、外部電極のうち同じ他方に接続されているので、一対の第１の内部電極で構成される第１のアブソーバ素子と一対の第２の内部電極で構成される第２のアブソーバ素子とが並列に接続されて、寿命特性が向上する。
【００１４】
また、本発明のサージアブソーバは、前記外部電極が、一対の第１の外部電極と一対の第２の外部電極との二対設けられ、前記一対の第１の内部電極が、前記一対の第１の外部電極に電気的に接続されていると共に、前記一対の第２の内部電極が、前記一対の第２の外部電極に電気的に接続されていることを特徴とする。すなわち、このサージアブソーバでは、第１の内部電極と第２の内部電極とが互いに異なる対の外部電極に接続されているので、異なる２ラインの第１のアブソーバ素子と第２のアブソーバ素子とを１つのサージアブソーバに内蔵でき、どちらか一方に予期せぬ巨大なサージが加わった際に、両方のアブソーバ素子をＯＰＥＮとするため、他方のラインも影響を及ぼさないようにすることが可能である。
【発明の効果】
【００１５】
本発明によれば、以下の効果を奏する。
すなわち、本発明に係るサージアブソーバ及びその製造方法によれば、内部絶縁層の両側に一対の第１の内部電極が配置された第１の内部空間と一対の第２の内部電極が配置された第２の内部空間とを備え、内部絶縁層の両面にそれぞれ第１の内部電極及び第２の内部電極が形成されるので、予期せぬ巨大なサージが加わった際に、内部絶縁層が破壊され、アブソーバ素子としてＯＰＥＮにすると共に、外部環境の影響を受けて短絡することを防ぐことができる。
【発明を実施するための最良の形態】
【００１６】
以下、本発明に係るサージアブソーバ及びその製造方法の第１実施形態を、図１から図３を参照しながら説明する。
【００１７】
本実施形態のサージアブソーバ１は、図１及び図２に示すように、チップ型サージアブソーバであって、第１の内部空間Ｓ１と第２の内部空間Ｓ２とが内部絶縁層３を挟んで内部に形成されたブロック状絶縁体４と、第１の内部空間Ｓ１内に互いに放電間隙を隔てて配置され第１のアブソーバ素子５Ａを構成する一対の第１の内部電極６Ａと、第２の内部空間Ｓ２内に互いに放電間隙を隔てて配置され第２のアブソーバ素子５Ｂを構成する一対の第２の内部電極６Ｂと、第１の内部電極６Ａ及び第２の内部電極６Ｂの対となる一方と他方とに別々に電気的に接続されていると共にブロック状絶縁体４の外面に形成された一対の外部電極７と、を備えている。
【００１８】
上記ブロック状絶縁体４は、内部絶縁層３及び該内部絶縁層３の両面に積層された複数の両側絶縁層８で構成されている。
上記内部絶縁層３及び両側絶縁層８は、アルミナ、ムライト、コランダムムライト等のセラミックス材料で形成されている。
上記第１の内部空間Ｓ１及び第２の内部空間Ｓ２は、複数の両側絶縁層８のうち内部絶縁層３に直接積層された層にそれぞれ形成された孔部８ａによって形成されている。なお、孔部８ａの高さを調整するために孔部８ａを形成する両側絶縁層８を複数積層しても構わない。
【００１９】
また、内部絶縁層３の第１の内部空間Ｓ１側の面（上面）に一対の第１の内部電極６Ａが互いに先端を対向配置して形成されていると共に、内部絶縁層３の第２の内部空間Ｓ２側の面（下面）に一対の第２の内部電極６Ｂが互いに先端を対向配置して形成されている。
上記一対の外部電極７は、それぞれブロック状絶縁体４の端面に形成され、一方に第１の内部電極６Ａ及び第２の内部電極６Ｂの一方の各基端が接続されていると共に、他方に第１の内部電極６Ａ及び第２の内部電極６Ｂの他方の各基端が接続されている。
【００２０】
上記第１の内部空間Ｓ１及び第２の内部空間Ｓ２には、必要に応じて放電ガスが封入される。放電ガスとしては、不活性ガス等であって、例えばＨｅ，Ａｒ，Ｎｅ，Ｘｅ，Ｋｒ，ＳＦ６，ＣＯ２，Ｃ３Ｆ８，Ｃ２Ｆ６，ＣＦ４，Ｈ２，大気等及びこれらの混合ガスが採用される。
なお、第１の内部空間Ｓ１及び第２の内部空間Ｓ２の高さは、内部絶縁層３の厚さよりも大きいことが好ましい。
【００２１】
これら積層された内部絶縁層３及び両側絶縁層８は、セラミックス材料の粉末に焼結助剤を添加したものをシート状に加工したセラミックスグリーンシートを積層して圧着することで作製される。焼結助剤としては、例えばＳｉＯ２、Ｂ２Ｏ３、ＰｂＯ、Ｎａ２Ｏ、Ｌｉ２Ｏ、ＢａＯ、ＣａＯ、ＺｎＯ、ＭｇＯ、ＴｉＯ２、Ａｌ２Ｏ３等のうち一種又は二種以上を混合してなるガラスを用いることができる。
なお、第１の内部空間Ｓ１及び第２の内部空間Ｓ２を形成する両側絶縁層８となるセラミックスグリーンシートは、第１の内部空間Ｓ１及び第２の内部空間Ｓ２に対応する長方形状等の孔部８ａが予めパンチング等により形成されて積層される。
【００２２】
上記第１の内部電極６Ａ及び第２の内部電極６Ｂは、例えばＡｇ／Ｐｄ，ＳｎＯ２，Ａｌ，Ｎｉ，Ｃｕ，Ｔｉ，ＴｉＮ，Ｔａ，Ｗ，ＳｉＣ，ＢａＡｌ４，Ｎｂ，Ｓｉ，Ｃ，Ａｇ，Ａｇ／Ｐｔ，ＩＴＯ等の材料を用いて、スクリーン印刷法、スパッタ法、蒸着法、イオンプレーティング法、焼き付け法等によって所定の膜厚で長方形状等に成膜される。
上記一対の外部電極７は、Ａｇペースト等の導電性ペーストやＮｉめっきやはんだめっき等により形成される。例えば、ブロック状絶縁体４の両端面にＡｇペースト等の導電性ペーストを塗布して焼成することで、一対の外部電極７が形成される。
【００２３】
次に、本実施形態のサージアブソーバ１の製造方法について、図３及び図４を参照して説明する。
【００２４】
まず、上述したセラミックス材料の粉末に焼結助剤を添加したものをシート状に加工したセラミックスグリーンシートとして、図３に示すように、内部絶縁層３になる内部セラミックスグリーンシート１３と両側絶縁層８になる複数の両側セラミックスグリーンシート１８とを用意する。
【００２５】
次に、内部セラミックスグリーンシート１３の両面のうち一方（上面）に一対の第１の内部電極６Ａを形成すると共に、上記両面のうち他方（下面）に一対の第２の内部電極６Ｂを形成する。第１の内部電極６Ａ及び第２の内部電極６Ｂは、上述したように導電性材料を含有する物質をスクリーン印刷で形成した後に乾燥する等の方法で形成される。
さらに、図４に示すように、複数の両側セラミックスグリーンシート１８を内部セラミックスグリーンシート１３の両面に積層し、圧着して積層シート１４とする。そして、この該積層シート１４を脱バインダーし樹脂分を除去した後、上述した放電ガス雰囲気中で所定の温度で焼結する。なお、脱バインダー後に放電ガス雰囲気中とする前に一度、ガスの置換工程（真空排気後に放電ガス導入）することで、放電空間へのガス置換をしやすく出来る。
【００２６】
上記積層前又は積層時の際、両側セラミックスグリーンシート１８のうち内部セラミックスグリーンシート１３に直接積層するものに、第１の内部空間Ｓ１及び第２の内部空間Ｓ２となる孔部８ａを形成する。さらに、空洞である孔部８ａ内に樹脂材９を埋め込む。この樹脂材９は、例えば樹脂のみで形成した樹脂シートから孔部８ａ形状に対応して抜き出したものを孔部８ａに嵌め込むことで形成したものや、孔部８ａ内に樹脂ペーストを充填して硬化させて形成したものが採用される。なお、樹脂材９は、上記脱バインダー工程から焼結工程で除去されることで、形状が良好に保持された第１の内部空間Ｓ１及び第２の内部空間Ｓ２が形成される。
【００２７】
なお、大判の積層シート１４であって、サージアブソーバ１に対応する領域を複数有する場合、積層シート１４を各サージアブソーバ１に対応する領域毎に分けるため、ダイシングや切断(カット)により複数のブロック状本体に分離させる。
次に、ブロック状本体とされた積層シート１４の両端面にそれぞれ外部電極７を形成する。これら外部電極７は、例えば上述した材料からなる導電性ペーストを端面に設けて焼結し、さらにＮｉめっき等を施して形成する。このようにして、本実施形態のサージアブソーバ１が作製される。
【００２８】
本実施形態のサージアブソーバ１は、内部絶縁層３の第１の内部空間Ｓ１側の面に一対の第１の内部電極６Ａが形成されていると共に、内部絶縁層３の第２の内部空間Ｓ２側の面に一対の第２の内部電極６Ｂが形成されているので、予期せぬ巨大なサージが加わった際に、内部電極が形成されている内部絶縁層３が破壊され、アブソーバ素子として開放（ＯＰＥＮ）方向に破壊される。
【００２９】
また、放電空間内部での内部絶縁層３の破壊のため、外気の進入が無く、外部環境（大気中の湿度など）の影響を受けて短絡（ＳＨＯＲＴ）することを防ぐことができる。また、第１のアブソーバ素子５Ａと第２のアブソーバ素子５Ｂとが、異なる内部空間に独立して設けられているので、一方のアブソーバ素子の劣化が他方にほとんど影響しない。さらに、従来技術のような高コストになる板バネ等の部材が不要で、低コスト化及び小型化が可能である。
【００３０】
また、第１の内部空間６Ａ及び第２の内部空間６Ｂが、複数の両側絶縁層８のうち内部絶縁層３に直接積層された層にそれぞれ形成された孔部３ａによって形成されているので、孔部３ａが形成された両側絶縁層８を内部絶縁層３の両面に積層するだけで、内部絶縁層３を挟んで所定形状の第１の内部空間６Ａ及び第２の内部空間６Ｂを容易に形成することができる。
【００３１】
さらに、第１の内部電極６Ａの一方と第２の内部電極６Ｂの一方とが、外部電極７のうち同じ一方に接続されていると共に、第１の内部電極６Ａの他方と第２の内部電極６Ｂの他方とが、外部電極７のうち同じ他方に接続されているので、一対の第１の内部電極６Ａで構成される第１のアブソーバ素子５Ａと一対の第２の内部電極６Ｂで構成される第２のアブソーバ素子５Ｂとが並列に接続されて、寿命特性が向上する。
【００３２】
また、このサージアブソーバ１の製造方法では、積層前又は積層時に、両側セラミックスグリーンシート１８のうち内部セラミックスグリーンシート１３に直接積層するものに第１の内部空間Ｓ１及び第２の内部空間Ｓ２となる孔部８ａを形成する工程と、孔部８ａ内に樹脂材９を埋め込む工程と、を有するので、孔部８ａが樹脂材９で形状保持されることで、圧着時に第１の内部空間Ｓ１及び第２の内部空間Ｓ２の変形を防ぐことができる。
【００３３】
次に、本発明に係るサージアブソーバの第２〜第５実施形態を、図５〜図８を参照しながら説明する。なお、以下の実施形態の説明において、上記実施形態において説明した同一の構成要素には同一の符号を付し、その説明は省略する。
【００３４】
第２実施形態と第１実施形態との異なる点は、第１実施形態では、内部絶縁層３に一対の第１の内部電極６Ａ及び一対の第２の内部電極６Ｂが両方とも形成されているのに対し、第２実施形態のサージアブソーバ２１では、図５に示すように、内部絶縁層３の第１の内部空間Ｓ１側の面（上面）に一対の第１の内部電極６Ａの一方が形成され、内部絶縁層３の第２の内部空間Ｓ２側の面（下面）に一対の第２の内部電極６Ｂの一方が形成されていると共に、一対の第１の内部電極６Ａの他方が、第１の内部空間Ｓ１の天面に形成され、一対の第２の内部電極６Ｂの他方が、第２の内部空間Ｓ２の底面に形成されている点である。
【００３５】
また、第３実施形態と第２実施形態との異なる点は、第２実施形態では、第１の内部電極６Ａ及び第２の内部電極６Ｂの互いの先端が内部絶縁層３の中間付近に配置されているのに対し、第３実施形態のサージアブソーバ３１では、図６に示すように、第１の内部電極６Ａ及び第２の内部電極６Ｂが内部絶縁層３のほぼ全長にわたって形成され、その先端が第１の内部空間Ｓ１及び第２の内部空間Ｓ２の奥近傍まで配置されている点である。
【００３６】
さらに、第４実施形態と第１実施形態との異なる点は、第１実施形態では、内部絶縁層３に一対の第１の内部電極６Ａ及び一対の第２の内部電極６Ｂが両方とも形成されているのに対し、第４実施形態のサージアブソーバ４１では、図７に示すように、内部絶縁層３の第２の内部空間Ｓ２側の面（下面）に一対の第２の内部電極６Ｂの一方が形成され、内部絶縁層３の第１の内部空間Ｓ１側の面（上面）に一対の第１の内部電極６Ａの他方が形成されていると共に、一対の第１の内部電極６Ａの一方が、第１の内部空間Ｓ１の天面に形成され、一対の第２の内部電極６Ｂの他方が、第２の内部空間Ｓ２の底面に形成されている点である。
【００３７】
また、第５実施形態と第３実施形態との異なる点は、第３実施形態では、第１の内部電極６Ａ及び第２の内部電極６Ｂが内部絶縁層３のほぼ全長にわたって形成され、その先端が第１の内部空間Ｓ１及び第２の内部空間Ｓ２の奥近傍まで配置されているのに対し、第５実施形態のサージアブソーバ５１では、図８に示すように、第１の内部電極６Ａ及び第２の内部電極６Ｂが第３実施形態よりも長く内部絶縁層３の全長にわたって形成され、その先端が第１の内部空間Ｓ１及び第２の内部空間Ｓ２の奥まで配置されている点である。
【００３８】
これら第２〜第５実施形態のサージアブソーバ１，２１，３１，４１，５１でも、第１実施形態と同様に、内部絶縁層３の第１の内部空間Ｓ１側の面に一対の第１の内部電極６Ａのうち少なくとも一方が形成されていると共に、内部絶縁層３の第２の内部空間Ｓ２側の面に一対の第２の内部電極６Ｂのうち少なくとも一方が形成されているので、予期せぬ巨大なサージが加わった際に、内部電極が形成されている内部絶縁層３が破壊され、アブソーバ素子として開放（ＯＰＥＮ）方向に破壊される。
【００３９】
次に、本発明に係るサージアブソーバの第６及び第７実施形態を、図９〜図１６を参照しながら説明する。
【００４０】
第６実施形態と第１実施形態との異なる点は、第１実施形態では、第１の内部空間Ｓ１と第２の内部空間Ｓ２とが内部絶縁層３で完全に分離されているのに対し、第６実施形態のサージアブソーバ６１では、第１の内部空間Ｓ１と第２の内部空間Ｓ２とを連通させる貫通孔３ａが内部絶縁層３に形成されている点である。すなわち、第６実施形態のサージアブソーバ６１では、図９〜図１１に示すように、第１の内部電極６Ａ及び第２の内部電極６Ｂの両側に一対の貫通孔３ａが内部絶縁層３に形成され、第１の内部空間Ｓ１と第２の内部空間Ｓ２とが放電空間を共有している。
【００４１】
したがって、この第６実施形態のサージアブソーバ６１では、第１の内部空間Ｓ１と第２の内部空間Ｓ２とを連通させる貫通孔３ａが内部絶縁層３に形成されているので、第１の内部空間Ｓ１と第２の内部空間Ｓ２とが連通されて互いに放電空間を共有しているため、サージ耐量が増加する。
【００４２】
第７実施形態と第１実施形態との異なる点は、第１実施形態では、第１の内部電極６Ａのうち一方と第２の内部電極６Ｂのうち一方とが、一対の外部電極７のうち一方に電気的に接続されていると共に、第１の内部電極６Ａのうち他方と第２の内部電極６Ｂのうち他方とが一対の外部電極７のうち他方に電気的に接続されているのに対し、第７実施形態のサージアブソーバ７１では、図１２〜図１６に示すように、外部電極が、一対の第１の外部電極７Ａと一対の第２の外部電極７Ｂとの二対設けられ、一対の第１の内部電極６Ａが、一対の第１の外部電極７Ａに電気的に接続されていると共に、一対の第２の内部電極６Ｂが、一対の第２の外部電極に電気的に接続されている点である。
【００４３】
すなわち、第７実施形態では、一対の第１の内部電極６Ａは、ブロック状絶縁体４の両端面に形成された一対の第１の外部電極７Ａに接続され、一対の第２の内部電極６Ｂは、ブロック状絶縁体４の両側面に形成された一対の第２の外部電極７Ｂに接続されている。
【００４４】
したがって、第７実施形態のサージアブソーバ７１では、第１の内部電極６Ａと第２の内部電極６Ｂとが互いに異なる第１の外部電極７Ａと第２の外部電極７Ｂとに接続されているので、異なる２ラインの第１のアブソーバ素子５Ａと第２のアブソーバ素子５Ｂとを１つのサージアブソーバ１に内蔵でき、どちらか一方に予期せぬ巨大なサージが加わった際に、両方のアブソーバ素子をＯＰＥＮとするため、他方のラインも影響を及ぼさないようにすることが可能である。
【００４５】
なお、本発明の技術範囲は上記各実施形態に限定されるものではなく、本発明の趣旨を逸脱しない範囲において種々の変更を加えることが可能である。
【００４６】
例えば、上記各実施形態では、両側絶縁層に孔部を形成して第１の内部空間及び第２の内部空間を形成しているが、両側絶縁層に凹部を形成して該凹部を内部絶縁層に向けて積層することで、第１の内部空間及び第２の内部空間を形成してもよい。
また、上記各実施形態では、内部絶縁層を単層で構成しているが、複数層を積層させて内部絶縁層としても構わない。例えば、内部電極を片面に形成した一対の絶縁層を積層させて両面に内部電極が形成された内部絶縁層としてもよい。
【００４７】
また、上記各実施形態では、第１の内部空間と第２の内部空間とを同様の内部空間としているが、互いに異なる容積や形状の内部空間に設定しても構わない。また、第１のアブソーバ素子と第２のアブソーバ素子とで、同様の内部電極を採用しているが、互いに材料や形状の異なる内部電極を採用しても構わない。
【図面の簡単な説明】
【００４８】
【図１】本発明に係るサージアブソーバ及びその製造方法の第１実施形態において、サージアブソーバを示す縦断面図である。
【図２】図１のＡ−Ａ線矢視断面図である。
【図３】第１実施形態において、焼結前の積層シートを示す分解斜視図である。
【図４】第１実施形態において、焼結前の積層シートを示す断面図である。
【図５】本発明に係るサージアブソーバ及びその製造方法の第２実施形態において、サージアブソーバを示す縦断面図である。
【図６】本発明に係るサージアブソーバ及びその製造方法の第３実施形態において、サージアブソーバを示す縦断面図である。
【図７】本発明に係るサージアブソーバ及びその製造方法の第４実施形態において、サージアブソーバを示す縦断面図である。
【図８】本発明に係るサージアブソーバ及びその製造方法の第５実施形態において、サージアブソーバを示す縦断面図である。
【図９】本発明に係るサージアブソーバ及びその製造方法の第６実施形態において、サージアブソーバを示す縦断面図である。
【図１０】図９のＢ−Ｂ線矢視断面図である。
【図１１】図９のＣ−Ｃ線矢視断面図である。
【図１２】本発明に係るサージアブソーバ及びその製造方法の第７実施形態において、サージアブソーバを示す縦断面図である。
【図１３】第７実施形態において、サージアブソーバを示す斜視図である。
【図１４】図１２のＤ−Ｄ線矢視断面図である。
【図１５】図１２のＥ−Ｅ線矢視断面図である。
【図１６】図１２のＦ−Ｆ線矢視断面図である。
【符号の説明】
【００４９】
１，２１，３１，４１，５１，６１，７１…サージアブソーバ、３…内部絶縁層、３ａ…貫通孔、４…ブロック状絶縁体、５Ａ…第１のアブソーバ素子、５Ｂ…第２のアブソーバ素子、６Ａ…第１の内部電極、６Ｂ…第２の内部電極、７…外部電極、７Ａ…第１の外部電極、７Ｂ…第２の外部電極、８…両側絶縁層、８ａ…孔部、９…樹脂材、１３…内部セラミックスグリーンシート、１４…積層シート、１８…両側セラミックスグリーンシート、Ｓ１…第１の内部空間、Ｓ２…第２の内部空間
【図１】
2010092779.tif 000003
【図２】
2010092779.tif 000004
【図３】
2010092779.tif 000005
【図４】
2010092779.tif 000006
【図５】
2010092779.tif 000007
【図６】
2010092779.tif 000008
【図７】
2010092779.tif 000009
【図８】
2010092779.tif 000010
【図９】
2010092779.tif 000011
【図１０】
2010092779.tif 000012
【図１１】
2010092779.tif 000013
【図１２】
2010092779.tif 000014
【図１３】
2010092779.tif 000015
【図１４】
2010092779.tif 000016
【図１５】
2010092779.tif 000017
【図１６】
2010092779.tif 000018